(57)【特許請求の範囲】
【請求項１】
無線アクセスネットワーク内でプリコーディングモードで動作し、少なくとも１つのリピータを使用し、少なくとも１つのユーザ装置にサービスしている無線基地局のためのリピータ選択の方法であって、
参照信号をブロードキャストする工程（７１０）と、
前記少なくとも１つのリピータから、プリコーディング・マトリクスのインデックスを受信する工程（７２０）と、
前記少なくとも１つのリピータからの前記プリコーディング・マトリクスのインデックスを格納する工程（７３０）と、
前記少なくとも１つのユーザ装置から、プリコーディング・マトリクスのインデックスを受信する工程（７４０）と、
前記少なくとも１つのユーザ装置から受信したインデックスと、前記少なくとも１つのリピータから受信し格納したインデックスとを比較する工程（７５０）と、
前記少なくとも１つのユーザ装置から受信したインデックスと、前記少なくとも１つのリピータから受信し格納したインデックスとが一致する場合に、
前記一致したインデックスに対応するリピータを、前記少なくとも１つのユーザ装置がリピータ選択したリピータとして決定する工程（７６０）と
を備えることを特徴とする方法。
【請求項２】
前記少なくとも１つのリピータのオン及びオフを制御する工程（７７０）を更に備えることを特徴とする請求項１に記載の方法。
【請求項３】
前記制御する工程（７７０）は、前記少なくとも１つのユーザ装置についての前記リピータ選択及びスケジューリングに基づいて、オンまたはオフのコマンドを前記少なくとも１つのリピータに送信する工程（７７１）を含むことを特徴とする請求項２に記載の方法。
【請求項４】
受信電力レベルが閾値よりも低い場合に、前記少なくとも１つのリピータが自動でオフになり、
前記制御する工程（７７０）は、前記少なくとも１つのユーザ装置の前記リピータ選択に基づいて時間領域においてリソースのスケジューリングを行う工程を含む
ことを特徴とする請求項２に記載の方法。
【請求項５】
サブバンドの受信電力レベルが閾値よりも低い場合に、前記少なくとも１つのリピータの該サブバンドが自動的にオフになり、
前記制御する工程（７７０）は、前記少なくとも１つのユーザ装置の前記リピータ選択に基づいて周波数領域においてリソースのスケジューリングを行う工程を含む
ことを特徴とする請求項４に記載の方法。
【請求項６】
プリコーディングモードで動作する無線基地局により使用される、無線アクセスネットワーク内のリピータが、リピータ選択のために実行する方法であって、
前記無線基地局から受信する参照信号を測定する工程（６１０）と、
測定された前記参照信号に基づいてプリコーディング・マトリクスを選択する工程（６２０）と、
選択された前記プリコーディング・マトリクスのインデックスを前記無線基地局に送信する工程（６３０）と
を備え、
前記インデックスは、ユーザ装置によるリピータ選択を判定するために前記無線基地局により使用されることを特徴とする方法。
【請求項７】
前記方法は、システム初期化の際に一度実行されることを特徴とする請求項６に記載の方法。
【請求項８】
前記方法は、前記リピータと前記無線基地局との間のチャネルが変更される度に実行されることを特徴とする請求項６に記載の方法。
【請求項９】
前記無線基地局からオン又はオフのコマンドを受信する工程（６４０）と、
受信コマンドに応じてオン・オフを切り替える工程（６５０）と
を更に備えることを特徴とする請求項７または８に記載の方法。
【請求項１０】
受信電力レベルが閾値よりも低い場合に、前記リピータは自動的にオフになることを特徴とする請求項７または８に記載の方法。
【請求項１１】
リピータのサブバンドの受信電力レベルが閾値よりも低い場合に、該サブバンドは自動的にオフになることを特徴とする請求項１０に記載の方法。
【請求項１２】
プリコーディングモードで動作し、少なくとも１つのリピータを使用し、少なくとも１つのユーザ装置にサービスするように構成された、無線アクセスネットワークの無線基地局であって、
参照信号をブロードキャストする手段（５０１）と、
プリコーディング・マトリクスのインデックスを前記少なくとも１つのリピータから受信する手段（５０２）と、
前記少なくとも１つのリピータから受信した前記プリコーディング・マトリクスのインデックスを格納する手段（５０３）と、
前記少なくとも１つのユーザ装置からプリコーディング・マトリクスのインデックスを受信する手段（５０４）と、
前記少なくとも１つのユーザ装置から受信したインデックスと、前記少なくとも１つのリピータから受信し格納したインデックスとの比較を、該格納したインデックスのうち一致したインデックスを有するリピータを特定するために行う手段（５０５）と、
前記一致したインデックスに対応するリピータを、前記少なくとも１つのユーザ装置がリピータ選択したリピータとして決定する手段（５０６）と
を備えることを特徴とする無線基地局。
【請求項１３】
前記少なくとも１つのリピータのオン及びオフを制御する手段（５０７）を更に備えることを特徴とする請求項１２に記載の無線基地局。
【請求項１４】
前記制御する手段（５０７）は、前記少なくとも１つのユーザ装置のスケジューリングに基づいて、前記少なくとも１つのリピータへオン又はオフのコマンドを送信する手段（５７１）を含むことを特徴とする請求項１３に記載の無線基地局。
【請求項１５】
前記少なくとも１つのリピータは、受信電力レベルが閾値よりも低い場合に自動的にオフになるように構成され、
前記制御する手段（５０７）は、リソースのスケジューリングを時間領域において制御する手段を含むことを特徴とする請求項１３に記載の無線基地局。
【請求項１６】
サブバンドの受信電力レベルが閾値よりも低い場合に、前記少なくとも１つのリピータのサブバンドが自動的にオフになり、
前記制御する手段（５０７）は、リソースのスケジューリングを周波数領域において制御する手段を含むことを特徴とする請求項１５に記載の無線基地局。
【請求項１７】
プリコーディングモードで動作する無線基地局によって使用されるように構成された、無線アクセスネットワークのリピータであって、
前記無線基地局から受信する参照信号を測定する手段（５１１）と、
測定した前記参照信号に基づいてプリコーディング・マトリクスを選択する手段（５１２）と、
選択された前記プリコーディング・マトリクスのインデックスを前記無線基地局へ送信する手段（５１３）と
を備え、
前記インデックスは、ユーザ装置によるリピータ選択を判定するために前記無線基地局により使用される
ことを特徴とするリピータ。
【請求項１８】
前記無線基地局からオン又はオフのコマンドを受信する手段（５１４）と、
受信コマンドに応じて、オン・オフを切り替える手段（５１５）と
を更に備えることを特徴とする請求項１７に記載のリピータ。
【請求項１９】
前記リピータは、受信電力レベルが閾値よりも低い場合に、自動的にオフになるように構成されていることを特徴とする請求項１７に記載のリピータ。
【請求項２０】
リピータのサブバンドの受信電力レベルが閾値よりも低い場合に、該サブバンドは自動的にオフになるように構成されていることを特徴とする請求項１９に記載のリピータ。
【発明の詳細な説明】
【技術分野】
【０００１】
本発明は、無線通信の分野に関連する。特には、無線アクセスネットワークにおけるオン／オフ・リピータの利用に関連する。
【背景技術】
【０００２】
ＵＭＴＳ（Universal Mobile Telecommunication System）は、ＧＳＭを引き継ぐために設計された第３世代移動体通信技術の一つである。３ＧＰＰ ＬＴＥ（Long Term Evolution）は、第３世代パートナーシップ・プロジェクト（３ＧＰＰ）の中のプロジェクトであって、ＵＭＴＳ標準を改善するためのものである。ＵＴＲＡＮ(ＵＭＴＳ Terrestrial Radio Access Network)は、ＵＭＴＳシステムの無線アクセスネットワークであり、Ｅ−ＵＴＲＡＮ（evolved UTRAN）は、ＬＴＥシステムの無線アクセスネットワークである。Ｅ−ＵＴＲＡＮ内の無線基地局（ＲＢＳ）は、ｅＮＢ（evolved NodeB）と呼ばれる。
【０００３】
Ｅ−ＵＴＲＡＮのような無線アクセスネットワークでは、通信パフォーマンスを送信器と受信器の両方において改善するための複数アンテナの利用を表す名前としてＭＩＭＯ（複数入力・複数出力）が用いられている。ＭＩＭＯは、３つのメインカテゴリとして、プリコーディング、空間多重、ダイバーシチ・コーディング、に細分化される。プリコーディングは、狭い意味ではマルチレイヤビーム形成（即ち、目的の受信器の方向に、全体のアンテナビームを成形すること）をいうが、広い意味では送信器におけるあらゆる空間処理をいう。従来の（即ち、シングル・レイヤの）ビーム形成では、同一信号が各送信アンテナから適切な位相において、受信器入力における信号電力が最大化するように（時にはゲイン）重み付けされて放射される。ビーム形成の利点は、建設的な結合から信号ゲインを増加させ、フェージング効果を減少させることにある。散乱がないので、ビーム形成の結果、明確な指向性パターンを得ることができる。受信器が複数アンテナを有すると、送信ビーム形成では、受信アンテナの全てにおいて信号レベルを同時に最大化することができないので、そこでプリコーディングが用いられる。プリコーディングによれば、受信器出力においてリンクスループットが最大化するように、複数の信号ストリームが送信アンテナからアンテナ毎に独立に適切な重み付けがなされて放射される。アンテナ毎に、送信信号に異なる重みを適用することは、プリコーディング・ベクトルを送信信号に適用することとして表現できる。プリコーダベースの空間多重化は、プリコーディング・マトリクスにより置換されるプリコーディングベクトルを用いた、プリコーダベースのビーム形成の一般化と見なすことができる。これ以降、プリコーディング・マトリクスの語を使用する。受信器は、チャネルを推定し、（利用可能なプリコーディング・マトリクスのセットを含む）コードブックから適切なプリコーディング・マトリクスを決定する。そして、選択されたプリコーディング・マトリクスの情報を送信器にフィードバックする。
【０００４】
図１は、ＬＴＥシステム（Ｅ−ＵＴＲＡＮ）における無線アクセスネットワークの一部を示す。異なるｅＮＢアンテナにおけるダウンリンク参照信号の測定値に基づき、ユーザ装置（ＵＥ）１５０は、あるビーム１２０に対応する適切なプリコーディング・マトリクスをコードブックから決定する。選択されたベクトルのインデックスは、ｅＮＢ１１０へ通知され、ｅＮＢ１１０はこのプリコーディング・マトリクスをＵＥ１５０へのダウンリンク送信のために使用することができる。ＬＴＥでは、ベクトル・インデックスを、プリコーディング・マトリクス・インデックス（ＰＭＩ）と呼んでいる。
【０００５】
他のあらゆる側面はさておき、増大したカバーエリア、より高いデータレートのサポート、又は、その両方を必要とするために、将来の無線アクセスネットワークが期待されている。ネットワークのキャパシティの増加は、時にカバーエリアの減少につながるが、リレーやリピータの使用は、送信範囲（カバーエリア）とエンド・ツー・エンドのデータ範囲との間のトレードオフにチャレンジするためのよいオプションである。リレーやリピータの利点は、長距離を２つのほぼ等距離にあるホップに分割することで、データレートをあげられることにある。
【０００６】
リレーと比較すると、無線周波数（ＲＦ）リピータはよりシンプルで、コストがかからない。ＲＦリピータ（以下、単にリピータという）は、無線受信器と無線送信器との組み合わせであって、信号が劣化することなくより長い距離をカバーできるように、弱い、あるいは、低レベルの信号を受信して、それをより高いレベル、あるいは、高い電力で再送信する。それらは、例えば田舎や郊外の地域において、カバーエリアを拡張するのに適している。リピータを定義する特徴は、それがほとんど同時に信号を受信し、増幅し、再送信することである。
【０００７】
図２は、ｅＮＢ２１０と３つのリピータ２３０ａ〜２３０ｃを含むＥ−ＵＴＲＡＮのセル２００を示している。リピータ２３０ａ〜２３０ｃは、ｅＮＢ２１０及びＵＥ２５０から受信した信号を増幅して再送信する。多くのリピータを採用することで、特筆すべきほどに拡大されたカバーエリアを実現できる。しかしながら、リピータは、受信信号及び干渉の両方を増幅するため、高いセル内干渉をもたらす結果を招く。オン／オフリピータを使用することにより、セル内干渉を減少させることができる。オン／オフリピータは、リピータエリアに送信を行う予定のＵＥが存在しない場合オフされる（即ち、信号の再送信が停止される）ので、干渉の一因となることはない。リピータのオンとオフの状態を制御するために、ＲＢＳが各ＵＥについてのリピータ選択、即ち、ＵＥがどのリピータを通信に使用しているかを区別しなければならない。異なるアクティブなＵＥのリピータ選択に基づいて、ＲＢＳはどのリピータをオフするかの決定をスケジューリング決定と共に行うことができる。元来、ＵＥはリピータからの参照信号を計測しており、これらの信号に基づいてより好ましいリピータを選択し、選択したリピータのインデックスをリピータ経由でＲＢＳにフィードバックする。このソリューションに関連する問題は、余計なアップリンクレポートがこのフィードバックのために必要となることであり、また、リピータとＵＥとの間でインタラクション用のシグナリングが必要となることでもある。このことは、既存のネットワークへのリピータの導入を複雑化してしまい、また、シグナリングオーバーヘッドを増加させてしまうことになる。
【発明の概要】
【０００８】
本発明の目的は、上記の問題点のいくつかを回避し、無線アクセスネットワークにオン／オフリピータを簡単に導入可能とし、ＵＥのリピータ選択のためのシグナリングを最小化するための方法及び装置を実現することにある。これはあるソリューションにより実現できる。そのソリューションでは、ＲＢＳがプリコーディングモードで動作する。また、ＵＥが行っているのと同様に、リピータがダウンリンク参照信号を測定し、プリコーディング・マトリクスを選択し、選択インデックス（即ち、ＰＭＩ）をＲＢＳにフィードバックする。これにより、ＲＢＳは、ＵＥからのインデックスを異なるリピータからのインデックスと比較することで、余計なアップリンクリポートや、ＵＥとリピータ間のインタラクションを追加することなく、ＵＥによるリピータ選択を判別することができる。
【０００９】
よって、本発明の第１の側面に従い、無線アクセスネットワーク内でプリコーディングモードで動作するＲＢＳのためのリピータ選択の方法が提供される。このＲＢＳは、１以上のリピータを使用し、少なくとも１つのＵＥにサービスしている。上記方法は、参照信号をブロードキャストする工程を含む。さらに、リピータからプリコーディング・マトリクスのインデックスを受信し、格納する工程を含む。さらに、ＵＥからプリコーディング・マトリクスのインデックスを受信する工程と、ＵＥから受信したインデックスと、リピータから受信し格納したインデックスとを比較する工程とを含む。ＵＥから受信したインデックスと、リピータから受信し格納したインデックスとが一致する場合に、一致したインデックスに対応するリピータを、ＵＥがリピータ選択したリピータとして決定する工程を含む。
【００１０】
本発明の第２の側面に従い、無線アクセスネットワーク内のリピータのためのリピータ選択の方法が提供される。このリピータは、プリコーディングモードで動作するＲＢＳにより使用される。上記方法は、ＲＢＳからの参照信号を測定する工程と、測定された参照信号に基づいてプリコーディング・マトリクスを選択する工程とを含む。さらに、選択されたプリコーディング・マトリクスのインデックスをＲＢＳに送信する工程を含む。なお、インデックスは、ＵＥによるリピータ選択を判定するためにＲＢＳが使用する。
【００１１】
本発明の第３の側面に従い、無線アクセスネットワークのＲＢＳが提供される。ＲＢＳは、プリコーディングモードで動作し、少なくとも１つのリピータを使用するように構成されている。また、１以上のＵＥにサービスするようにも構成されている。ＲＢＳは、参照信号をブロードキャストする手段を有する。また、プリコーディング・マトリクスのインデックスをリピータから受信し、格納する手段を有する。また、ＵＥからプリコーディング・マトリクスのインデックスを受信する手段と、ＵＥから受信したインデックスと、リピータから受信し格納したインデックスとの比較を、該格納したインデックスのうち一致したインデックスを有するリピータを特定するために行う手段とを有する。さらに、一致したインデックスに対応するリピータを、ＵＥがリピータ選択したリピータとして決定する手段を有する。
【００１２】
本発明の第４の側面に従い、プリコーディングモードで動作するＲＢＳによって使用されるように構成された無線アクセスネットワークのリピータが提供される。当該リピータは、ＲＢＳからの参照信号を測定する手段を有する。また、測定した参照信号に基づいてプリコーディング・マトリクスを選択する手段と、選択されたプリコーディング・マトリクスのインデックスをＲＢＳへ送信する手段とを有する。なお、インデックスは、ＵＥによるリピータ選択を判定するためにＲＢＳが使用する。
【００１３】
本発明の実施形態の効果は、余計なアップリンク通知やＵＥとリピータ間のインタラクションを必要とせずに、ＲＢＳがＵＥのリピータ選択を効果的な方法で検出できる点である。よって、ＲＢＳは、最小限のシグナリング・オーバーヘッドにおいてリピータのオン／オフを効率的に制御するために、ＵＥの選択を判定することができる。
【００１４】
本発明の実施形態の別の効果は、プリコーディング・コードブックを何ら修正せずとも、既存の無線アクセスネットワークに対して新規リピータの導入が簡単に可能となる点である。更に、ＵＥとＲＢＳはリピータからのチャネル情報を検出する必要がないため、リピータはいかなる参照信号も送信する必要がない。
【図面の簡単な説明】
【００１５】
【図１】プリコーディングモードで動作するｅＮＢを含むＥ−ＵＴＲＡＮの一部を示す図。
【図２】本発明の実施形態に対応する、ｅＮＢとそのリピータとを含むＥ−ＵＴＲＡＮの一部を示す図。
【図３】本発明の実施形態に対応する、プリコーディングモードで動作するｅＮＢと、そのリピータを含むＥ−ＵＴＲＡＮにおける無線サイトを示す図。
【図４】リピータを有するｅＮＢと、各リピータのリソースのスケジューリングを示す図。
【図５】本発明の実施形態に対応する、ｅＮＢとリピータとを示す図。
【図６】本発明の実施形態に対応する、リピータのための方法のフローチャート。
【図７】本発明の実施形態に対応する、ｅＮＢのための方法のフローチャート。
【発明を実施するための形態】
【００１６】
以下、いくつかの実施形態及び貼付する図面を参照して、本発明をより詳細に説明する。本発明の全体的な理解のために、限定ではなく説明を目的として、特定のシナリオ、技術などの特定の詳細事項について説明する。しかしながら、当業者には、本発明が当該特定の詳細事項から逸脱することなく、他の実施形態においても実施可能であることは明らかであろう。
【００１７】
さらに、当業者にとっては、以下に述べる機能や手段は、ソフトウェア機能を、プログラムされたマイクロプロセッサや、汎用コンピュータ、及び、ＡＳＩＣのうちの少なくともいずれかと組み合わせて使用することで実現可能であることは、明らかであろう。また、本発明は、とりあえず方法と装置の形式で記載されているが、本発明がコンピュータプログラムや、コンピュータプロセッサとメモリを含むシステムとして実現されてもよいことは理解されよう。なお、メモリは、ここで記載する機能を実行可能な１つ以上のプログラムでエンコードされている。
【００１８】
本発明は、特定の例示的シナリオを参照して記述される。特に、本発明は、Ｅ−ＵＴＲＡＮとの関係で、無制限の一般的文脈において記述される。ただし、本発明及びその典型的な実施形態は、ｅＮＢプリコーディングモードとＰＭＩ通知に関してＥ−ＵＴＲＡＮと同様の特徴を有する他のタイプの無線アクセス技術にも適用されてもよいことには注意されたい。
【００１９】
本発明の目的は、オン／オフ・リピータを簡単に導入可能とし、また、ＵＥによるリピータ選択をシグナリング・オーバヘッドが最小で効率的なものとすることにある。本発明は、カバーエリア拡大のためにオン／オフ・リピータを使用する、プリコーディングモードで動作するｅＮＢを有する無線アクセスネットワークに実装することができる。そのようなネットワークでは、ｅＮＢは参照信号を送信アンテナからブロードキャストし、リピータはそれらの信号を受信し、ＵＥに再送信する。ＵＥはｅＮＢからの参照信号を測定し、チャネルを推定し、好適なビーム、あるいは、プリコーディング・マトリクスを選択し、プリコーディング・マトリクスのインデックス（いわゆるＰＭＩ）をｅＮＢにフィードバックする。これは、従来技術でも、本発明の実施形態でも同じように実施される。
【００２０】
ネットワーク内での干渉を最小限とするためには、ｅＮＢはリピータのオン／オフの決定を、スケジューリング決定と同時に行わなければならない。リピータの制御には、各ＵＥについてのリピータ選択の知識が必要である。以下では、図３を参照して、ｅＮＢがどのようにしてリピータ選択を決定しているのかを説明する。
【００２１】
プリコーディング（あるいは、ビームフォーミング）モードによる空間分割効果を利用することで、リピータエリア３４０ａから３４０ｄ内のＵＥ２５０にサービスする異なるリピータ３３０ａから３３０ｄは、ｅＮＢ３１０からの（プリコーディング・マトリクスに対応する）異なるビーム３２０ａから３２０ｄによりカバーされる。本発明のある実施形態では、各リピータはｅＮＢからの参照信号を、従来技術のように単に再送信する代わりに、測定するであろう。そして、測定結果に基づいて、プリコーディング・マトリクスをコードブックから選択し、選択したプリコーディングベクトルのインデックス（ＰＭＩ）をｅＮＢに送信する（ＵＥが行っていることと同様に）。
【００２２】
ｅＮＢは、リピータから送信されたＰＭＩを受信して格納する。リピータＰＭＩはｅＮＢにおけるリピータインデックスであり、ＵＥによるリピータ選択を判定する際に使用される。ｅＮＢがＰＭＩフィードバックをＵＥから受信するたびに、ＵＥ ＰＭＩは全ての格納済みのリピータＰＭＩ、即ちリピータインデックスと比較される。リピータインデックスとＵＥ ＰＭＩとの間で一致すれば、ｅＮＢは、対応するリピータを特定のＵＥのための好適なリピータと決定できる。例えば、図３を参照すると、もしリピータ３３０ｃが特定のビーム（あるいは、プリコーディング・マトリクス）３２０ｃを選択し、ＵＥ３５０が同一のビーム３２０ｃを選択した場合、このＵＥ３５０は当該リピータ３３０ｃによってサービスされることを黙示的に選択したことになる。リピータ選択は、このようにしてＵＥからｅＮＢへの余計な通知無し、かつ、ＵＥとリピータ間の余計なインタラクション無しで、行うことができる。別の利点として、既存のネットワークへの新しいオン／オフ・リピータの導入に際して、既存のプリコーディング・コードブックに対するいかなる修正も不要なことがあげられる。
【００２３】
本発明において正確なリピータ選択を確実に行うためには、プリコーディング・マトリクスとリピータとの間で１対１のマッピングを確実に行うことが重要である。これは、ネットワークの正確なディメンジョニング及びプラニングにより得られるものであって、リピータの数やリピータの配置は、慎重に選択されなければならない。さらに、ｅＮＢにおけるアンテナ距離が小さい場合は、アンテナ間でのアンテナの相互相関があるので、リピータの位置とＰＭＩとの間で良好なマッピングが得られるであろう。
【００２４】
アンテナ相互相関が高いことは、典型的には、アンテナ間距離が小さい（波長の一部）アンテナ構成を意味する。その一方で、アンテナ相互相関が低いことは、十分に大きなアンテナ距離（いくつかの波長分）のアンテナ構成を意味する。アンテナ相互相関が低い場合、フェージング変動を捉えるために、プリコーディング・マトリクスの更新は典型的には比較的短い時間的尺度で行われる。本発明では、アンテナ相互相関が高いほうが好ましく、それは、ＰＭＩとビーム方向との間の関係が安定的になるためである。
【００２５】
本発明のある実施形態では、リピータのＰＭＩ通知がシステム始動時に静的方法において１回行われる。これは、ＰＭＩが安定的であれば可能である。即ち、近接して配置されたアンテナアレイのお陰によりアンテナ相互相関が高く、時間の経過と共に変化しない場合である。リピータＰＭＩ値は、一旦格納され、その後に全てのＵＥのリピータ選択のために利用されてもよい。
【００２６】
本発明の代替的な実施形態では、リピータのＰＭＩ通知は動的に行われ、リピータのＰＭＩは毎回異なる。これは、アンテナ間の間隔が大きなネットワークにおいて、アンテナ相互相関が低くなる場合である。
【００２７】
本発明の更なる実施形態では、異なるリピータのオン／オフを制御する際に、ｅＮＢによりリピータ選択が利用される。干渉を最小限とするため、リピータエリアにいるユーザが、ある時間リソース、または、ある周波数リソースにスケジューリングされている場合にのみリピータはオンとなる。
【００２８】
この例を図４に示している。図４では、ｅＮＢ４５０が３つのリピータ、リピータＡ４１０、Ｂ４２０、Ｃ４３０を有し、対応するリピータエリアの各ＵＥにつき、対応する周波数は４１１、４２１、４３１、時間リソースは４１２、４２２、４３２、スケジューリングされたリソースは４４１、スケジューリングされていないリソースは４４２で表される。この例では、リピータＡ４１０及びリピータＢ４２０のエリア内のＵＥは、最初の２つの時間リソース（例えば、サブフレーム）の間で、異なる周波数リソースを使って同時にスケジューリングされるが、リピータＣ４３０のエリア内には、同時にスケジューリングされるＵＥは存在しない。よって、これらの最初の２つのサブフレームの間はリピータＣ４３０をオフにすることができ、リピータＡ４１０とリピータＢ４２０は、周波数領域において、それぞれがスケジューリングされた周波数リソースに対応してオン／オフされる。第３の時間リソースでは、リピータＣ４３０のエリア内のＵＥは、スケジューリングされたリソースを有するが、リピータＡ４１０とＢ４２０のエリア内ではＵＥはスケジューリングされない。
【００２９】
ｅＮＢにより制御されるリピータのオン／オフは、異なる方法で実装することができる。本発明の第１の実施形態では、ＵＥのリピータ選択及びスケジューリング決定に基づいて、インバンド、あるいは、アウトバンドのシグナリングを介してオン／オフ・コマンドをリピータに送信することにより、ｅＮＢがリピータを制御することができる。
【００３０】
第２の実施形態では、信号の受信電力がある閾値よりも低くなった場合に、リピータによる自動オフを要求する。もし、リピータが、ダイナミックレンジ内で固定的な増幅利得を維持する場合、例えば、時間領域においてリソースのスケジューリングを制御するなど、ｅＮＢはスケジューリング動作により、リピータのオン／オフを制御することができる。受信干渉レベルが閾値よりも高い場合でも、リピータの固定増幅利得のお陰でリピータ間干渉は制限される。
【００３１】
第３の実施形態では、もし、リピータが受信電力レベルをサブバンドで検出し、受信電力が低い場合に自動的にオフできるなら、上記の第２の実施形態のソリューションを周波数領域にまで拡張することができる。この場合、ｅＮＢは、干渉レベルに応じて異なる周波数リソースを異なるビームにスケジューリングすることができ、それにより干渉を制御する。
【００３２】
図５に記載され、上記の第１の実施形態に対応するのはｅＮＢ５００である。ｅＮＢ５００は、ＵＥと同様に、リピータによっても使用されるべき参照信号を、プリコーディング・マトリクスの選択のためにブロードキャストする手段５０１を含む。また、ＰＭＩをリピータから受信する手段５０２と、ＰＭＩを格納する手段５０３を含む。更に、ＰＭＩをＵＥから受信する手段５０４、ＵＥのＰＭＩを格納されたリピータからのインデックスと比較する手段５０５を含む。この比較は、一致するＰＭＩを有するリピータを発見するために行われる。一致するＰＭＩに対応するリピータを、ＵＥが選択したリピータと決定するための手段５０６を含む。ｅＮＢはまた、リピータのオン／オフを制御する手段５０７を有する。この制御は、上述のようにリピータの種類（例えば、自動か否か）に応じて異なる方法で実施できる。図５及び対応する第１の実施形態では、リピータのオン／オフを制御する手段５０７は、オン／オフ・コマンドをリピータに送信する手段５７１を含む。
【００３３】
図５に記載され、上記の第１の実施形態に対応するのは、リピータ５１０でもある。リピータ５１０は、ｅＮＢからの参照信号を測定する手段５１１と、参照信号に基づいてプリコーディング・マトリクスを選択する手段５１２を含む。また、選択されたプリコーディング・マトリクスのインデックス（ＰＭＩ）をｅＮＢに送信する手段５１３を含む。このＰＭＩは、ＵＥのリピータ選択を決定するためにｅＮＢが使用することができる。さらに、リピータはｅＮＢからオン／オフ・コマンドを受信する手段５１４と、コマンドに応じてオン／オフを切り替える手段５１５を有する。
【００３４】
図６は、本発明の上述の第１の実施形態に対応するリピータのための方法のフローチャートであり、以下のステップを含む。
−６１０：ｅＮＢからの参照信号を測定する。
−６２０：測定された参照信号に基づいて、プリコーディング・マトリクスを選択する。
−６３０：選択されたプリコーディング・マトリクスのインデックスをｅＮＢに送信する。当該インデックスは、ｅＮＢによりユーザ装置のリピータ選択の決定に使用される。
−６４０：ｅＮＢからオン／オフ・コマンドを受信する。
−６５０：受信したコマンドに応じて、再送信のオン／オフを切り替える。
【００３５】
更に、図７は、発明の同一の第１の実施形態に対応するｅＮＢのための方法のフローチャートであり、以下のステップを含む。
−７１０：プリコーディング・マトリクスを選択するためにリピータ及びＵＥによって使用される参照信号を、ブロードキャストする。
−７２０：プリコーディング・マトリクスのインデックスを、リピータから受信する。
−７３０：リピータからのプリコーディング・マトリクスのインデックスを格納する。
−７４０：複数のＵＥの１つから、プリコーディング・マトリクスのインデックスを受信する。
−７５０：ＵＥから受信したインデックスを、リピータからの格納済みインデックスと比較し、リピータからの格納済みインデックスが、ＵＥから受信したインデックスと一致した場合、
−７６０：一致した格納済みインデックスに対応するリピータを、ＵＥが選択したリピータに決定する。
−７７０：リピータのオン／オフを制御する。
【００３６】
リピータのオン／オフを制御する７７０のステップは、上記のように異なる方法で行うことができる。図７では、リピータの制御ステップ７７０は、
−７７１：リピータ選択と、少なくとも１つのＵＥのスケジューリングに基づいて、少なくとも１つのリピータへオン／オフ・コマンドを送信する。
【００３７】
上述の実施形態は、あくまで例として記載されたものであって、本発明を限定するものではない。特許請求の範囲に記載される発明の範囲内における他のソリューション、利用、目的及び機能は、当業者には自明のはずである。
【図１】
0005281692.tif 000002
【図２】
0005281692.tif 000003
【図３】
0005281692.tif 000004
【図４】
0005281692.tif 000005
【図５】
0005281692.tif 000006
【図６】
0005281692.tif 000007
【図７】
0005281692.tif 000008